(57)【要約】【課題】  従来の遊技盤上に配置されている各入賞口に入賞しなかった遊技球にもさらに入賞の機会を与えることにより、より一層の遊技球の入賞の機会を遊技者に対して期待させ、パチンコ機の興趣を一層高めること。【解決手段】  パチンコ機３の遊技領域１３下部に取り付けられるとともに遊技球をパチンコ機３外に排出するためのアウト口装置３０において、アウト口３１とセーフ口３２との開口部を縦２cm、横１４cmの範囲内に設け、アウト口装置３０の左右方向における中央にセーフ口３２を設け、セーフ口３２の左右にそれぞれアウト口３１を設けた。また、セーフ口３２の上部に、セーフ口３２前面に遊技球が落下することを防止する障害部３５を設けた。また、アウト口の前面には遊技球を保留可能な球受け凹部４０を設けた。    【選択図】    図３
2008279068.tif 000002
【特許請求の範囲】
【請求項１】
パチンコ機の遊技領域下部に取り付けられるとともに遊技球をパチンコ機外に排出するためのアウト口装置であって、アウト口とセーフ口との開口部が、縦２cm、横１４cmの範囲内に複数以上設けられたことを特徴とするアウト口装置。
【請求項２】
前記各セーフ口の開口面積が４ｃm2以上に設けられたことを特徴とする請求項１に記載のアウト口装置。
【請求項３】
前記アウト口装置の左右方向における中央に前記セーフ口が設けられ、前記セーフ口の左右にそれぞれ前記アウト口が設けられたことを特徴とする請求項１又は請求項２に記載のアウト口装置。
【請求項４】
前記アウト口装置の左右方向における中央に前記アウト口が設けられ、前記アウト口の左右にそれぞれ前記セーフ口が設けられたことを特徴とする請求項１又は請求項２に記載のアウト口装置。
【請求項５】
前記セーフ口の内側に前記アウト口を設けること、または、前記アウト口の内側に前記セーフ口を設けることを特徴とする請求項１又は請求項２に記載のアウト口装置。
【請求項６】
前記セーフ口の上部に、セーフ口前面に遊技球が落下することを防止する障害部が設けられたことを特徴とする請求項１から請求項５のいずれかに記載のアウト口装置。
【請求項７】
前記アウト口の前面に、遊技球を保留可能な球受け凹部が設けられたことを特徴とする請求項１から請求項６のいずれかに記載のアウト口装置。
【請求項８】
前記セーフ口の前面に、前記セーフ口に遊技球を導く誘導部が設けられたことを特徴とする請求項１から請求項７のいずれかに記載のアウト口装置。
【請求項９】
請求項１から請求項８のいずれかに記載のアウト口装置を取り付けたパチンコ機。
【発明の詳細な説明】
【技術分野】
【０００１】
本発明は、パチンコ機の遊技領域の最下部に取り付けられるアウト口装置、及びアウト口装置を取り付けたパチンコ機に関する。
【背景技術】
【０００２】
従来のパチンコ機では、遊技盤とガイドレールによって区画される遊技領域の最下部には、いずれの入賞口にも入賞しなかった遊技球（いわゆるアウト球）を遊技領域外に排出するためのアウト口装置が設けられている。一方、遊技盤上に設置された各入賞口に入賞した遊技球（いわゆるセーフ球）は各入賞口から遊技領域外に排出されるように構成されている（例えば、特許文献１参照。）。
【０００３】
【特許文献１】特開２００７−８９９９１公報（図１）
【発明の開示】
【発明が解決しようとする課題】
【０００４】
従来のパチンコ機では、遊技盤上の各入賞口のいずれかに入賞しなかった遊技球は、遊技領域の最下部のアウト口装置から排出されて必ずアウト球となる。遊技盤上には、そのスペースの制約上や、遊技領域内において遊技球が一定時間とどまり遊技を十分に楽しめるようにするために、各入賞口や風車、また釘などを万遍なく配置している。よって、発射された遊技球は、遊技領域内を一定程度落下した場合には、それより下方に入賞を期待できる入賞口が存在しない状態と成りやすい。したがって、遊技領域内に発射された遊技球のうち一定程度落下した遊技球に対して、もはや遊技者は入賞の期待をすることが無くなってしまうため、パチンコ機全体に対する遊技者の興趣が大きくそがれるという問題を生じていた。
【０００５】
本発明は上記した従来のアウト口装置及びアウト口装置を取り付けたパチンコ機の問題点を解消するものであり、従来の遊技盤上に配置されている各入賞口に入賞しなかった遊技球にもさらに入賞の機会を与えることにより、より一層の遊技球の入賞の機会を遊技者に対して期待させ、パチンコ機の興趣を一層高めることにある。
【課題を解決するための手段】
【０００６】
以上の課題を解決するために、本発明の採った手段を以下に説明する。本発明のアウト口装置は、パチンコ機の遊技領域下部に取り付けられるとともに遊技球をパチンコ機外に排出するためのアウト口装置であって、アウト口とセーフ口との開口部を縦２cm、横１４cmの範囲内に複数以上設けたことを特徴とするアウト口装置（請求項１）である。
【０００７】
アウト口に近接した所定の範囲にセーフ口を設けることにより、他の入賞口には入賞せずにアウト口に向かうだけであった従来の遊技球についても、当該セーフ口への入賞の可能性を有する。よって、遊技者に対して、このような遊技球についての入賞の期待感を持たせることができる。
【０００８】
また、前記各セーフ口の開口面積を４ｃm2以上とすることにより（請求項２）、さらに、遊技球の入賞の確率を高めると共に視覚的にも入賞の期待感を大きく持たせることもできる。
【０００９】
また、アウト口装置の左右方向における中央にセーフ口を設け、該セーフ口の左右にそれぞれアウト口を設けることとしても良い（請求項３）。このように構成することにより、さらに、左右のアウト口をくぐり抜けて中央のセーフ口に遊技球を入賞させるという従来のパチンコ機には無いスリル感を味わわせることができる。
【００１０】
また、逆に、アウト口装置の左右方向における中央にアウト口を設け、該アウト口の左右にそれぞれセーフ口を設けることとしても良い（請求項４）。このように構成することにより、さらに、遊技領域の左右いずれからから遊技球が流下してきても、いずれかのセーフ口への入賞を期待させることができる。
【００１１】
また、セーフ口の内側にアウト口を設けること、または、アウト口の内側にセーフ口を設けることもできる（請求項５）。このようなアウト口装置とすることにより、従来のパチンコ機のアウト口装置用の取付孔にそのまま取り付けることができるので、遊技盤に別途特別な取付孔などを設ける必要が無く、遊技盤の製造コストを増加させることがない。また、既存の遊技盤に取り付けたアウト口装置と変更することも容易となる。
【００１２】
また、前記セーフ口の上部に、セーフ口前面に遊技球が落下することを防止する障害部を設けることもできる（請求項６）。このような障害部を設けることにより、従来にはないセーフ口への入賞を期待させつつも、セーフ口前面への遊技球の直接の落下を回避させることができるので、当該セーフ口への入賞の割合を所定の範囲に制限することができる。なお、「障害部」の形状は特に限定されず、セーフ口の上方からセーフ口の前面に遊技球が直接落下することを妨げる板状、突起状その他の全ての形状の部材を言う。また、このような遊技球の落下を完全に回避させる形状のものに限らず、一定の割合で回避させるものも含む主旨である。
【００１３】
また、前記アウト口の前面に、遊技球を保留可能な球受け凹部を設けることとしても良い（請求項７）。ここで「球受け凹部」とは、具体的には例えば正面視において中央が下方に向けて湾曲状に凹設された部位など、周辺部位よりも下方に凹設された部位を言い、遊技球をこの球受け凹部内に止まりやすく設けることにより遊技球がアウト口に導かれやすくする部位を言う。アウト口の前面にこのような球受け凹部を設けることにより、セーフ口を近接して設けるなどして入賞の期待感を抱かせるアウト口装置において、一方でセーフ口への遊技球の入賞の実際の割合を所定の範囲に制限することができる。
【００１４】
また、前記セーフ口の前面に、セーフ口に遊技球を導く誘導部を設けることとしても良い（請求項８）。このような誘導部を設けることにより、いったん誘導部に導かれた遊技球はセーフ口に確実に入賞するとの期待感を抱かせることができ、遊技者の興趣を高めることができる。「誘導部」は、特に形状などは限定されないが、例えば、セーフ口に向かって下り傾斜とされた傾斜面や、セーフ口に向かって延設される溝や、突条などによりセーフ口に向けて区画された部位などを例として挙げることができる。
【００１５】
そして、これらのアウト口装置は、種々のパチンコ機に用いることができる（請求項９）。
【発明の効果】
【００１６】
本発明のアウト口装置及びパチンコ機は上記のようにアウト口に近接してセーフ口が設けられ、遊技盤上に配置されている各入賞口に入賞しなかった遊技球にもさらに入賞の機会を与られることにより、より一層の遊技球の入賞の機会を遊技者に対して期待させ、パチンコ機の興趣を一層高めることができる。また、特に請求項６に記載のアウト口装置では、パチンコ機では、上記した効果に加えて、障害部を設けることにより、従来にはないセーフ口への入賞を期待させつつも、当該セーフ口への入賞の割合を所定の範囲に制限することもできる。また、特に請求項８に記載のアウト口装置では、従来のパチンコ機のアウト口装置用の取付孔にそのまま取り付けることができるので、遊技盤に別途特別な取付孔などを設ける必要が無く、遊技盤の製造コストを増加させることもない。また、既存の遊技盤に取り付けたアウト口装置と変更することも容易である。
【発明を実施するための最良の形態】
【００１７】
次に、本発明のアウト口及びパチンコ機の実施の形態を図を参考にして詳細に説明する。図１に示すように、本発明に係るパチンコ機３はいわゆる「第一種パチンコ機」と呼ばれる、特別図柄表示装置１４を備え、図柄が特定の態様に揃った場合には、遊技盤６下部の可変大入賞口装置１８の開閉扉２０が開成されて多数の遊技球を入賞することができる、いわゆる「大当たり」と呼ばれる特別遊技状態を生起するパチンコ機である。
【００１８】
［パチンコ機全体の構成］
パチンコ機３の機枠１は、パチンコ機３の本体２を遊技ホールの設置場所（いわゆる「島設備」）に固定するためのものであり縦長長方形状の木製の枠部材から構成されている。機枠１の前面には、機枠１に対してヒンジ機構によって開閉自在に取付固定された前面枠４が設けられている。
【００１９】
また前面枠４のさらに前面側上部には、ガラス扉枠５が開閉自在に取付固定されている。ガラス扉枠５の背面側には遊技盤６が配設されており、ガラス扉枠５の内側に取り付けられたガラス板を透過して遊技盤６を視認することができる。また、前面枠４の前面側下部には、球受け皿８などが備え付けられた前面扉７が開閉自在に取付固定されている。
【００２０】
また、上記した前面扉７には、遊技球を発射装置に供給するための球受け皿８の他に、球受け皿８の余剰球を貯留するための余剰球受け皿９や、発射装置を駆動して遊技球を遊技領域に向けて発射するための操作ハンドル１０が取り付けられている。
【００２１】
遊技盤６の前面には、遊技盤６の周辺付近に全体がほぼ円形状に配設されたガイドレール１２が取り付けられており、このガイドレール１２に囲まれた区画が遊技領域１３とされている。遊技領域１３のほぼ中央には３つの数字又は記号などの図柄が変動表示される表示部１５を有する特別図柄表示装置１４が配設されている。特別図柄表示装置１４の上部には、１つの数字を可変表示可能な普通図柄表示装置２４が設けられている。後述する通過チャッカーに遊技球が通過すると、この普通図柄表示装置２４の数字が変動を開始するように設けられている。
【００２２】
また、特別図柄表示装置１４の下方には、遊技球が入賞することによって表示部１５の複数の図柄を変動させる始動入賞口１６が設けられている。始動入賞口１６には、起立状態または逆ハ字状態に可変する一対の開閉翼片１７ａ．１７ｂが設けられている。開閉翼片１７ａ．１７ｂは、通常時には起立状態とされ、一方、特別の遊技状態の場合には逆ハ字状態に可変されて、始動入賞口１６への遊技球の入賞を通常時よりも容易となるように設けられている。
【００２３】
始動入賞口１６の下方には大型の可変大入賞口装置１８が配設されている。可変大入賞口装置１８には正面視横長矩形状の開口部１９が備えられており、この開口部１９に対して、開口部１９下辺を中心軸として前方側に傾動可能な開閉扉２０が取り付けられている。この開閉扉２０は、ゲーム進行が通常時の普通遊技状態においては閉じられており、一方、いわゆる「大当たり」などの特別遊技状態に移行した場合には開放されて、遊技球が多数入賞可能となるように構成されている。
【００２４】
遊技盤６の前面の始動入賞口１６の左右には通過チャッカー２２がそれぞれ取り付けられている。これらの通過チャッカー２２のいずれかに遊技球が通過すると上記した普通図柄表示装置２４の数字が変動するように設けられており、さらに、普通図柄表示装置２４の数字が所定の数字となる場合に始動入賞口１６に備えられた開閉翼片１７ａ．１７ｂが逆ハ字状に開放されて、始動入賞口１６に遊技球が入賞しやすくなるように構成されている。遊技盤６には、これらの他に一般入賞口２６や風車２８、ならびに多数の釘が取り付けられている。
【００２５】
[アウト口装置の実施の形態１]
次いで、図２及び図３を参照して、遊技領域１３下部に設けられるアウト口装置３０について説明する。このアウト口装置３０は、正面視において左右がやや上方に湾曲した弓形の形状に形成されており、中央にセーフ口３２が配置され、このセーフ口３２の左右両側にそれぞれアウト口３１が配置されている。このアウト口装置３０が遊技盤６の最下部に取り付けられている。
【００２６】
セーフ口３２は、アウト口装置３０の正面視中央に設けられている。セーフ口３２の開口部は、縦約１．４２cm、横約２．８４cmの正面視かまぼこ型の形状に形成されており、他の一般入賞口などとは異なり、アウト口３１とほぼ同程度の大きさの比較的大きな面積（約４ｃm2）で開口され、セーフ口３２の正面まで誘導されてきた遊技球は遅滞なくセーフ口３２内に誘導される大きさに形成されている。また、セーフ口３２の上部開口縁には、セーフ口３２の上方から落下してきた遊技球がそのままセーフ口３２の正面側に流下しないようにするとともに、後述する球受け凹部４０に遊技球を誘導する障害部３５が突設されている。障害部３５は、正面視において中央が緩やかに隆起したアーチ形状に形成されて正面側に突設されている。よって、障害部３５に接触した遊技球は、その障害部３５の両端から、後述する球受け凹部４０に誘導され易くなるように構成されている。また、障害部３５の正面視中央上部には、前後方向に沿って形成された突条３７が設けられており、この突条３７により、上方から落下してきた遊技球を左右に振り分けるように設けられている。なお、図示は省略するが、セーフ口３２の奥側の球通路内には、入賞した遊技球を検知可能な遊技球検知装置が取り付けられている。
【００２７】
セーフ口３２の左右には二つのアウト口３１がそれぞれ開設されている。アウト口３１の開口部は、それぞれ上部がアウト口装置３０の外側方向にやや傾斜したかまぼこ型の形状に形成されており、縦約１．８４cm、横約２．８４cmに形成されている。そして、前述したセーフ口３２及びアウト口３１のそれぞれの開口部の上端は、すべて同一の高さに設けられている。また、中央のセーフ口３２を挟んで左側のアウト口３１の開口部左端から右側のアウト口３１の開口部右端までの距離は約１３．４cmに設けられている。したがって、両アウト口３１及びセーフ口３２のそれぞれの開口部は、縦約１．８４cm、横約１３．４cmの範囲内に収められている。
【００２８】
アウト口装置３０の下部寄りには、落下してきた遊技球をアウト口３１及びセーフ口３２に誘導するように両端が上方に向けて円弧状に湾曲された誘導樋３３が形成されている。誘導樋３３の中央のセーフ口３２前方には、セーフ口３２の横幅とほぼ同様の横幅に設けられた誘導部３４が形成されている。この誘導部３４の両端には、アウト口装置３０の前後方向に沿ってアウト口装置３０の上方に向けて緩やかに突設された突堤部３６がそれぞれ形成されている。そしてまた、これらの突堤部３６間は後方のセーフ口３２に向けてゆるやかに傾斜されたほぼ平面状の誘導面３８に形成されている。
【００２９】
誘導樋３３のうち誘導部３４の両側のアウト口３１の前方には、落下してきた遊技球を受け止める球受け凹部４０がそれぞれ形成されている。球受け凹部４０は、横幅がアウト口３１とほぼ同じく形成されるとともに、誘導部３４及び誘導樋３３の両端部よりもやや下方に湾曲凹部状に凹設された形状とされている。このように構成することにより、落下してきた遊技球は、球受け凹部４０に止まりやすく、また、球受け凹部４０に誘導されやすく設けられている。また、誘導樋３３の正面側左右両端付近には、鋭角的に突設された装飾部４２がそれぞれ形成されている。
【００３０】
このように誘導樋３３、誘導部３４及び球受け凹部４０が構成されることにより、落下してきた遊技球はまずは球受け凹部４０に誘導されやすく、それらの遊技球の一部は、そのままアウト口３１に入る。また、球受け凹部４０の横方向に大きく移動した遊技球の一部は、突堤部３６を乗り越えて誘導部３４内に保持されて、その後セーフ口３２に入賞する。また、いったん誘導部３４内に保持された遊技球は、突堤部３６によって誘導部３４内に止まりやすく、セーフ口３２に入賞し易く設けられている。一方で、球受け凹部４０内に保持される遊技球は、この突堤部３６によって、誘導部３４内に進入し難く設けられている。
【００３１】
このように構成・配置されたアウト口装置３０により、他の一般入賞口２６や始動入賞口１６などに入賞せずに、従来のパチンコ機であればもはや入賞を期待できない位置まで落下した遊技球であっても、遊技者に対して最終的にアウト口３１に入るまではセーフ口３２への入賞を期待させることができる。また、アウト口３１に極めて近接してセーフ口３２が配設されているので、アウト口３１に入るかセーフ口３２に入賞するかが極めて予測し難く、このために遊技者に相当のスリル感を抱かせることができる。また、セーフ口３２の左右にアウト口３１がそれぞれ配設されることにより、アウト口３１に遊技球が入らなければ、これらのアウト口３１よりも中央寄りのセーフ口３２へ遊技球が確実に入賞されるという期待感とスリル感を抱かせることができる。
【００３２】
また、障害部３５を設けておくことにより、上方からのセーフ口３２への遊技球の入賞を妨げることができる。よって、大きく開口されたセーフ口３２を開設して遊技者に対して入賞の期待感を抱かせながらも、セーフ口３２への入賞割合を制限することができる。なお、これらのセーフ口３２及びアウト口３１は、他の一般入賞口２６などと同様に、遊技盤６裏側に取り付けられた遊技球排出路（図示省略）に連通されており、遊技球は遊技球排出路を経てパチンコ機３外に排出される。
【００３３】
[アウト口装置の実施の形態２]
次いで、本発明の第２の実施の形態について説明する。本実施の形態は第１の実施の形態とは逆に、アウト口装置３０の中央にアウト口３１が設けられるとともに、このアウト口３１の左右に、二つのセーフ口３２がそれぞれ開設されているものである。なお、以下においては、上記した第１の実施の形態と共通する構成については第１の実施の形態と同一の符号を図に付して説明を省略する。
【００３４】
アウト口３１は、アウト口装置３０の正面視中央に設けられており、その開口部は縦約１．８４cm、横約２．８４cmに形成され、アウト口３１の正面まで誘導されてきた遊技球は遅滞なくアウト口３１内に誘導される大きさに形成されている。
【００３５】
また、アウト口３１の左右には二つのセーフ口３２がそれぞれ開設されている。セーフ口３２の開口部は、縦約１．４２cm、横約２．８４cmに形成されている。そして、前述したセーフ口３２及びアウト口３１のそれぞれの開口部の上端は、すべて同一の高さに設けられている。また、中央のセーフ口３２を挟んで左側のアウト口３１の開口部左端から右側のアウト口３１の開口部右端までの距離は約１３．４cmに設けられている。したがって、両アウト口３１及びセーフ口３２のそれぞれの開口部は、縦約１．８４cm、横約１３．４cmの範囲内に収められている。
【００３６】
また、セーフ口３２の上部開口縁には、セーフ口３２の上方から落下してきた遊技球がそのままセーフ口３２の正面側に流下しないようにするとともに、後述する球受け凹部４０に遊技球を誘導する障害部３５が突設されている。障害部３５は、上記したようにセーフ口３２の上部開口縁に沿って、正面側に突設されており、正面視において、アウト口３１側の端部が緩やかに下方に湾曲されたアーチ形状に形成されており、障害部３５に接触した遊技球は、アウト口３１側の端部から、後述する球受け凹部４０に誘導され易くなるように構成されている。
【００３７】
アウト口装置３０の下部寄りには、落下してきた遊技球をアウト口３１及びセーフ口３２に誘導する両端が上方に向けて円弧状に湾曲された誘導樋３３が形成されている。誘導樋３３の中央のアウト口３１前方には、落下してきた遊技球を受け止める球受け凹部４０が形成されている。球受け凹部４０は、横幅がアウト口３１とほぼ同じく形成されるとともに、隣りあう誘導部３４よりもやや下方に湾曲凹部状に凹設された形状とされている。このように構成することにより、落下してきた遊技球は、誘導部３４よりも球受け凹部４０に止まりやすく、また、アウト口３１に誘導されやすく設けられている。
【００３８】
一方、誘導樋３３のうち球受け凹部４０の両側のセーフ口３２の前方には、セーフ口３２の横幅とほぼ同様の横幅に設けられた誘導部３４がそれぞれ形成されている。それぞれの誘導部３４の球受け凹部４０側の端部には、アウト口装置３０の前後方向に沿ってアウト口装置３０の上方に向けて緩やかに突設された突堤部３６が形成されている。そして突堤部３６よりも外側の誘導部３４の部位は、後方のセーフ口３２に向けてゆるやかに傾斜されたほぼ平面状の誘導面３８に形成されている。
【００３９】
このように誘導樋３３、誘導部３４及び球受け凹部４０が構成されることにより、第１の実施の形態と同様に、落下してきた遊技球はまずは球受け凹部４０に誘導されやすく、それらの遊技球の一部は、そのままアウト口３１に入る。また、球受け凹部４０の横方向に大きく移動した遊技球の一部は、突堤部３６を乗り越えて誘導部３４内に保持されて、その後セーフ口３２に入賞する。また、いったん誘導部３４内に保持された遊技球は、突堤部３６によって誘導部３４内に止まりやすく、セーフ口３２に入賞し易く設けられている。一方で、球受け凹部４０内に保持される遊技球は、この突堤部３６によって、誘導部３４内に進入し難く設けられている。また、障害部３５を設けておくことにより、上方からのセーフ口３２への遊技球の入賞を妨げることができることも同様である。
【００４０】
[アウト口装置の実施の形態３]
次いで、本発明の第３の実施の形態について説明する。本アウト口装置３０は遊技領域１３の中央最下部に設けられており、セーフ口３２の内側にアウト口３１が設けられたものである。アウト口３１はセーフ口３２のほぼ中央に設けられており、これらの前面には球受け凹部４０が設けられている。この第３の実施の形態では、セーフ口３２の内側にアウト口３１が設けられているので、これらの前面に設けられた球受け凹部４０を左右に転がる遊技球が、セーフ口３２又はアウト口３１のいずれに入るかのスリル感を味わうことができる。また、従来のアウト口に代えてこのセーフ口３２を備えたアウト口装置３０を遊技盤６に取り付ければ良いので、従来のアウト口用の取付孔以外に別に取付孔を開けるなどの必要は無く従来の遊技盤の構成を変えることなく実施することが可能であり、このパチンコ機３の製造コストを不要に増加させることはない。また、本例とは逆に、アウト口３１の中央にセーフ口３２を設けることも可能である。この例では、遊技者は、まさしくアウト口３１をかいくぐってセーフ口３２に入賞させるというようなスリルを味わうことができる。
【００４１】
なお、本発明は上記した実施の形態に限られるものではなく、本発明の趣旨の範囲内で種々の変更が可能である。例えば、第１の実施の形態及び第２の実施の形態とは異なり、アウト口及びセーフ口を同数（例えば２個ずつ）近傍に併設するものも例示することができる。また、第３の実施の形態に示すセーフ口３２及びアウト口３１を備えたアウト口装置３０を複数設けることとしても良い。また、障害部３５に代えて、釘を打設することも可能である。また、誘導樋３３においては、誘導部３４、突堤部３６、誘導面３８及び球受け凹部４０などのいずれかを適宜省略したものを用いることもできる。
【図面の簡単な説明】
【００４２】
【図１】本発明のアウト口装置を用いたパチンコ機の正面図である。
【図２】アウト口装置の正面図である。
【図３】アウト口装置の斜視図である。
【図４】別のアウト口装置の正面図である。
【図５】さらに別のアウト口装置の正面図である。
【符号の説明】
【００４３】
１；機枠、２；本体、３；パチンコ機、４；前面枠、５；ガラス扉枠、６；遊技盤、７；前面扉、８；球受け皿、９；余剰球受け皿、１０；操作ハンドル、１２；ガイドレール、１３；遊技領域、１４；特別図柄表示装置、１５；表示部、１６；始動入賞口、１７ａ，１７ｂ；開閉翼片、１８；可変大入賞口装置、１９；開口部、２０；開閉扉、２２；通過チャッカー、２４；普通図柄表示装置、２６；一般入賞口、２８；風車、３０；アウト口装置、３１；アウト口、３２；セーフ口、３３；誘導樋、３４；誘導部、３５；障害部、３６；突堤部、３７；突条、３８；誘導面、４０；球受け凹部、４２；装飾部。
【図１】
2008279068.tif 000003
【図２】
2008279068.tif 000004
【図３】
2008279068.tif 000005
【図４】
2008279068.tif 000006
【図５】
2008279068.tif 000007